(57)【要約】【課題】ロール紙を支持軸にセットして固定する作業が容易なロール紙支持機構を搭載するプリンターを提供すること。【解決手段】プリンター１のロール紙ホルダー７は、ロール紙２の巻芯４に嵌め込まれる筒部７１を備える支持軸２０と、支持軸２０を支持する支持部２３を有する。支持軸２０は、筒部７１の外周面３０ａの開口４４から突出する突出位置４０Ａと外周面３０ａよりも内側の退避位置４０Ｂの間を移動可能なロック部材４０と、ロック位置４１Ａと開放位置４１Ｂの間を移動可能な操作部材４１と、操作部材４１をロック位置４１Ａから開放位置４１Ｂに移動させたときにロック部材４０を突出位置４０Ａから退避位置４０Ｂに移動させ、操作部材４１を開放位置４１Ｂからロック位置４１Ａに変位させたときにロック部材４０を退避位置４０Ｂからロック位置４１Ａに移動させるリンク機構７８を備える。【選択図】図３
2013230933.tif 000002
【特許請求の範囲】
【請求項１】
ロール紙の円筒状の巻芯に嵌め込まれる筒部を備える支持軸と、前記支持軸を回転可能に支持する支持部とを有するロール紙支持機構において、
前記支持軸は、前記筒部の外周面に形成された開口から少なくとも一部分が外側に突出する突出位置と当該筒部の外周面よりも内側の退避位置との間を移動可能なロック部材、ロック位置と当該ロック位置とは異なる開放位置との間を変位可能な操作部材、および、前記操作部材を前記ロック位置から前記開放位置に変位させたときに前記ロック部材を前記突出位置から前記退避位置に移動させるとともに、前記操作部材を前記開放位置から前記ロック位置に変位させたときに前記ロック部材を前記退避位置から前記ロック位置に移動させるリンク機構を備えていることを特徴とするロール紙支持機構。
【請求項２】
請求項１において、
前記リンク機構は、前記突出位置にある前記ロック部材が前記退避位置の側に向かって押されたときに当該ロック部材を前記突出位置の側に向って付勢する付勢力を発揮するバネ部材を備えていることを特徴とするロール紙支持機構。
【請求項３】
請求項１または２において、
前記筒部の軸線方向の長さ寸法、および、前記突出位置において前記開口から突出している前記ロック部材の突出部分の前記軸線方向の長さ寸法は、前記ロール紙の幅寸法よりも長いことを特徴とするロール紙支持機構。
【請求項４】
請求項３において、
前記ロール紙を幅方向の両側から挟んだ状態で前記筒部に取り付けられる一対のフランジを備え、
各フランジは、前記筒部が挿入される中心孔を備え、
各フランジの前記中心孔に前記筒部を挿入した状態で前記ロック部材が前記突出位置に移動すると、前記ロック部材と各フランジの前記中心孔の内周面部分とが当接して、前記一対のフランジが前記筒部に固定されることを特徴とするロール紙支持機構。
【請求項５】
請求項４において、
各フランジの前記中心孔に前記筒部を挿入した状態として前記一対のフランジのうちの一方のフランジを前記軸線に沿って移動させたときに、他方のフランジを前記一方のフランジと逆方向に移動させるフランジ移動機構を備えていることを特徴とするロール紙支持機構。
【請求項６】
請求項１ないし５のうちのいずれかの項において、
前記操作部材は、前記軸線上で離間している前記開放位置と前記ロック位置との間を移動し、
前記ロック部材は、前記軸線と直交する半径方向に移動可能とされており、
前記リンク機構は、前記軸線方向に移動可能なフレームと、一方の端が前記フレームに回転可能に取り付けられ、他方の端が前記ロック部材に回転可能に取り付けられているアームとを備え、
前記フレームは、前記操作部材に連結されて当該操作部材と一体に移動することを特徴とするロール紙支持機構。
【請求項７】
請求項６において、
前記リンク機構は、前記アームとして、前記軸線方向で離れた位置に配置された２本のアームを備えていることを特徴とするロール紙支持機構。
【請求項８】
請求項１ないし５のうちのいずれかの項において、
前記操作部材は、前記軸線回りで異なる角度位置に設定されている前記開放位置と前記ロック位置との間を回転し、
前記リンク機構は、カム、前記操作部材の回転を前記カムに伝達して当該カムを回転させる伝達機構、および、前記カムのカム面に摺接するカムフォロワーを備え、前記カムの回転に伴って変位するリンク部材を備え、
前記ロック部材は、前記リンク部材に取り付けられていることを特徴とするロール紙支持機構。
【請求項９】
請求項１ないし８のうちのいずれかの項において、
前記筒部の外周面には、前記開口として複数の開口が周方向に等角度間隔で設けられており、
前記ロック部材として、前記複数の開口に対応する数の複数のロック部材を備えていることを特徴とするロール紙支持機構。
【請求項１０】
請求項１ないし９のうちのいずれかの項において、
前記支持軸は、着脱可能な状態で前記支持部に支持されていることを特徴とするロール紙支持機構。
【請求項１１】
請求項１ないし１０のうちのいずれかの項に記載のロール紙支持機構と、
前記ロール紙支持機構に支持されたロール紙から引き出された長尺状の記録紙を印刷位置を経由する搬送路に沿って搬送する搬送機構と、
前記印刷位置を搬送される前記記録紙に印刷を行う印刷ヘッドと、
を有することを特徴とするプリンター。
【請求項１２】
請求項１１において、
前記ロール紙支持機構の前記支持軸を回転駆動する支持軸駆動機構を有することを特徴とするプリンター。
【発明の詳細な説明】
【技術分野】
【０００１】
本発明は、ロール紙を転動可能に支持するロール紙支持機構、およびロール紙支持機構に支持されたロール紙から引き出された記録紙に印刷を行うプリンターに関する。
【背景技術】
【０００２】
ロール紙から引き出された長尺状の記録紙に印刷を施すプリンターは、ロール紙を転動可能に支持するロール紙支持機構を備えている。特許文献１には、ロール紙の円筒状の巻芯に嵌合するペーパーホルダーと、このペーパーホルダーの両端を回転可能に支持する支持板を備えるロール紙支持機構が記載されている。
【０００３】
特許文献１のペーパーホルダーはオスホルダーとメスホルダーから構成されており、ロール紙をペーパーホルダーによって支持する際には、ロール紙の幅方向の両側から巻芯にオスホルダーとメスホルダーをそれぞれ挿入し、オスホルダーの係合軸とメスホルダーの係合穴を係合させている。メスホルダーは、外周面に形成された開口から押圧部を突出させている抜け止め部材と、押圧部が内側に向かって押されたときに押圧部を外側に向かって付勢する付勢力を発揮させる板バネを備えており、メスホルダーがロール紙の巻芯に嵌めこまれる際には、押圧部が巻芯の内周面を押圧した状態で嵌め込まれる。また、抜け止め部材は、オスホルダーの係合軸とメスホルダーの係合軸が係合したときに係合軸によって押圧される被押圧部を備えるとともに、被押圧部が押圧されると押圧部の開口からの突出量を増大させる方向に揺動するように支持されている。この結果、オスホルダーとメスホルダーが係合すると押圧部が巻芯の内周面に食い込んだ状態となり、ロール紙とペーパーホルダーとの固定が確実なものとなる。
【先行技術文献】
【特許文献】
【０００４】
【特許文献１】特開２００７−５１０１２号公報
【発明の概要】
【発明が解決しようとする課題】
【０００５】
ロール紙から引き出された記録紙に印刷を施すプリンターでは、引き出された記録紙を再度ロール紙に巻き取ることが必要となる場合がある。例えば、記録紙を逆方向へ搬送した場合には、記録紙が紙搬送路の途中で撓んでしまうので、記録紙の撓んだ部分をロール紙に巻き取ることが必要となる。このような場合に、ロール紙が巻芯に挿入される支持軸（ペーパーホルダー）に固定されていれば、支持軸を介してロール紙を強制的に回転させることができるので、記録紙をロール紙に巻き取ることが可能となる。
【０００６】
ここで、特許文献１の技術では、ロール紙を支持軸に固定することが可能となっているが、支持軸が２つの部材から構成されているので、ロール紙を支持軸にセットする作業が煩雑である。また、支持軸を構成している一方の部材（メスホルダー）をロール紙の巻芯に挿入する際に、当該部材の外周面から突出している抜け止め部材の押圧部が巻芯の内周面を押圧する状態となっているので、当該部材をロール紙の巻芯に嵌め込む作業に力が必要となっている。
【０００７】
本発明の課題は、このような点に鑑みて、ロール紙を支持軸にセットして固定する作業が容易なロール紙支持機構、および、このようなロール紙支持機構を搭載するプリンターを提供することにある。
【課題を解決するための手段】
【０００８】
上記の課題を解決するため、本発明は、ロール紙の円筒状の巻芯に嵌め込まれる筒部を備える支持軸と、前記支持軸を回転可能に支持する支持部とを有するロール紙支持機構において、前記支持軸は、前記筒部の外周面に形成された開口から少なくとも一部分が外側に突出する突出位置と当該筒部の外周面よりも内側の退避位置との間を移動可能なロック部材、ロック位置と当該ロック位置とは異なる開放位置との間を変位可能な操作部材、および、前記操作部材を前記ロック位置から前記開放位置に変位させたときに前記ロック部材を前記突出位置から前記退避位置に移動させるとともに、前記操作部材を前記開放位置から前記ロック位置に変位させたときに前記ロック部材を前記退避位置から前記ロック位置に移動させるリンク機構を備えていることを特徴とする。
【０００９】
本発明によれば、支持軸に設けられた操作部材をロック位置から開放位置へと変位させることにより、ロック部材を支持軸の筒部の内側に退避させることができるので、支持軸の筒部をロール紙の巻芯に嵌め込む際に、巻芯とロック部材が干渉することを回避できる。また、支持軸に設けられた操作部材を開放位置からロック位置へと変位させることにより、ロック部材をロール紙の巻芯に挿入される支持軸の筒部の外周面から外側に突出させることができる。従って、ロール紙を支持軸に嵌めこんだ後に、支持軸に設けられた操作部材を操作するだけで、ロック部材をロール紙の巻芯の内周面に当接させて、ロール紙を支持軸に固定することができる。従って、ロール紙を支持軸にセットする作業および支持軸にセットされたロール紙を支持軸に固定する作業が容易となる。
【００１０】
本発明において、前記リンク機構は、前記突出位置にある前記ロック部材が前記退避位置の側に向かって押されたときに当該ロック部材を前記突出位置の側に向かって付勢する付勢力を発揮するバネ部材を備えていることが望ましい。このようにすれば、バネ部材の付勢力を利用してロール紙を支持軸に固定することができるので、使用するロール紙毎に巻芯の直径がばらついている場合でも、支持軸にロール紙を固定できる。
【００１１】
本発明において、前記筒部の軸線方向の長さ寸法、および、前記突出位置において前記開口から突出している前記ロック部材の突出部分の前記軸線方向の長さ寸法は、前記ロール紙の幅寸法よりも長いことが望ましい。このようにすれば、ロール紙の幅方向の全範囲に渡ってロック部材を巻芯に当接させることができるので、ロール紙の支持軸への固定を確実なものとすることができる。
【００１２】
本発明において、前記ロール紙を幅方向の両側から挟んだ状態で前記筒部に取り付けられる一対のフランジを備え、各フランジは、前記筒部が挿入される中心孔を備え、各フランジの前記中心孔に前記筒部を挿入した状態で前記ロック部材が前記突出位置に移動すると、前記ロック部材と各フランジの前記中心孔の内周面部分とが当接して、前記一対のフランジが前記筒部に固定されることが望ましい。このような一対のフランジを備えれば、ロール紙から記録紙を引き出す際に、記録紙が斜めに引き出されてしまうことを防止できる。また、記録紙をロール紙に巻き取る際に、記録紙が斜めに巻き取られてしまうことを防止できる。さらに、突出位置に移動したロック部材によって一対のフランジが支持軸に固定されるので、一対のフランジが軸線方向に移動してしまうことを防止するための機構を設ける必要がなく、装置の製造コストを抑えることができる。
【００１３】
本発明において、各フランジの前記中心孔に前記筒部を挿入した状態として前記一対のフランジのうちの一方のフランジを前記軸線に沿って移動させたときに、他方のフランジを前記一方のフランジと逆方向に移動させるフランジ移動機構を備えていることが望ましい。このようにすれば、逆方向に移動する一対のフランジによってロール紙を両側からガイドできるので、筒部の中央を基準としてロール紙を位置決めすることが可能となる。この結果、筒部の中央から記録紙を繰り出すことができると共に、筒部の中央に記録紙を巻き取ることができる。
【００１４】
本発明において、前記操作部材は、前記軸線上で離間している前記開放位置と前記ロック位置との間を移動し、前記ロック部材は、前記軸線と直交する半径方向に移動可能とされており、前記リンク機構は、前記軸線方向に移動可能なフレームと、一方の端が前記フレームに回転可能に取り付けられ、他方の端が前記ロック部材に回転可能に取り付けられているアームとを備え、前記フレームは、前記操作部材に連結されて当該操作部材と一体に移動する構成を採用することができる。このようにすれば、操作部材を軸線方向の一方に移動させることにより、ロック部材を突出位置に移動させて、ロール紙を支持軸に固定することができる。また、操作部材を軸線方向の他方に移動させることにより、ロック部材を退避位置に移動させて、ロール紙と支持軸の固定を解除することができる。
【００１５】
この場合において、前記リンク機構は、前記アームとして、前記軸線方向で離れた位置に配置された２本のアームを備えていることが望ましい。このようにすれば、フレーム、２本のアーム、および、ロック部材によって平行リンク機構を構成することができるので、ロック部材を開口から突出させる際に、軸線方向における突出量を均一なものとすることが容易となる。
【００１６】
本発明において、前記操作部材は、前記軸線回りで離間している前記開放位置と前記ロック位置との間を回転し、前記リンク機構は、カム、前記操作部材の回転を前記カムに伝達して当該カムを回転させる伝達機構、および、前記カムのカム面に摺接するカムフォロワーを備え、前記カムの回転に伴って変位するリンク部材を備え、前記ロック部材は、前記リンク部材に取り付けられている構成を採用することもできる。このようにすれば、操作部材を一方に回転させることにより、ロック部材を突出位置に移動させて、ロール紙を支持軸に固定することができる。また、操作部材を他方に回転させることにより、ロック部材を退避位置に移動させて、ロール紙と支持軸の固定を解除することができる。
【００１７】
本発明において、前記筒部の外周面には、前記開口として複数の開口が周方向に等角度間隔で設けられており、前記ロック部材として、前記複数の開口に対応する数の複数のロック部材を備えていることが望ましい。このようにすれば、ロール紙の支持軸への固定を確実なものとすることができる。また、ロール紙の転動中心と支持軸の中心軸線とを一致させることが容易となる。
【００１８】
本発明において、前記支持軸は、着脱可能な状態で前記支持部に支持されていることが望ましい。このようにすれば、支持軸を支持部から外した状態でロール紙を支持軸にセットすることができるので、ロール紙を支持軸にセットする作業が容易となる。
【００１９】
次に、本発明のプリンターは、上記のロール紙支持機構と、前記ロール紙支持機構に支持されたロール紙から引き出された長尺状の記録紙を印刷位置を経由する搬送路に沿って搬送する搬送機構と、前記印刷位置を搬送される前記記録紙に印刷を行う印刷ヘッドと、を有することを特徴とする。
【００２０】
本発明のプリンターによれば、ロール紙をロール紙支持機構の支持軸にセットする作業およびロール紙を支持軸に固定する作業が容易である。
【００２１】
本発明において、前記ロール紙支持機構の支持軸を回転駆動する支持軸駆動機構を有することが望ましい。本発明のプリンターでは、ロール紙支持機構においてロール紙が支持軸に固定されているので、支持軸駆動機構によって支持軸を回転駆動すれば、ロール紙を強制的に回転させて、記録紙をロール紙に巻き取ることができる。
【発明の効果】
【００２２】
本発明によれば、支持軸に設けられた操作部材をロック位置から開放位置へと変位させることにより、ロック部材を支持軸の筒部の内側に退避させることができるので、支持軸の筒部をロール紙の巻芯に嵌め込む際に、巻芯とロック部材が干渉することを回避できる。また、ロール紙を支持軸に嵌めこんだ後に、支持軸に設けられた操作部材を操作するだけで、ロック部材をロール紙の巻芯の内周面に当接させて、ロール紙を支持軸に固定することができる。従って、ロール紙を支持軸にセットする作業および支持軸にセットされたロール紙を支持軸に固定する作業が容易となる。
【図面の簡単な説明】
【００２３】
【図１】本発明を適用したプリンターの主要部を示す概略縦断面図である。
【図２】ロール紙ホルダーの主要部の斜視図である。
【図３】支持軸の構成の説明図である。
【図４】リンク機構を構成しているアームの断面図である。
【図５】一対のフランジおよびフランジ移動機構の説明図である。
【図６】変形例のロール紙ホルダーの概略斜視図である
【図７】変形例のロール紙ホルダーの支持軸の説明図である。
【図８】変形例のロール紙ホルダーの支持軸の説明図である。
【発明を実施するための形態】
【００２４】
以下に、図面を参照しながら、本発明を適用したプリンターの実施形態を説明する。
【００２５】
（全体構成）
図１は本発明を適用したプリンターの主要部を示す概略縦断面図である。図２はロール紙ホルダーの主要部の斜視図である。本発明のプリンター１は、ロール紙２から引き出された長尺状の記録紙３に印刷を施すロール紙プリンターである。ロール紙２は印刷面が外側に向くようにして円筒状の巻芯４の回りに記録紙３を巻き取ったものである。
【００２６】
図１に示すように、プリンター１は、本体フレーム５を備えている。本体フレーム５の前面には排紙口６が形成されている。本体フレーム５の後側部分にはロール紙２が転動可能な状態で装填されるロール紙ホルダー７が設けられている。また、本体フレーム５には、ロール紙ホルダー７から印刷位置Ｐを経由して排紙口６に延びる紙搬送路８が設けられており、印刷位置Ｐにはプラテン９と印刷ヘッド１０が対向配置されている。印刷ヘッド１０はインクジェットヘッドである。紙搬送路８において、印刷位置Ｐよりもロール紙ホルダー７の側には紙送りローラー対１１が配置されており、印刷位置Ｐよりも排紙口６の側には排紙ローラー対１２が配置されている。紙送りローラー対１１および排紙ローラー対１２は搬送モーター１３によって正逆方向に回転駆動される。紙送りローラー対１１、排紙ローラー対１２および搬送モーター１３は記録紙３を搬送する搬送機構１４を構成している。
【００２７】
図２に示すように、ロール紙ホルダー７は、ロール紙２を支持する支持軸２０と、支持軸２０に支持された一対のフランジ２１、２２と、支持軸２０を回転可能に支持する支持部２３と、支持軸２０を回転駆動する支持軸駆動機構２４を備えている。支持軸２０は、図１に示すように、その軸線Ｌをプリンター幅方向に向けて配置されている。ロール紙２は、巻芯４に支持軸２０が嵌め込まれるとともに、一対のフランジ２１、２２によって幅方向の両側から挟まれた状態で支持軸２０に固定されている。
【００２８】
記録紙３は、ロール紙ホルダー７に装填されたロール紙２から紙搬送路８に沿って引き出され、記録紙３上に予め設定された印刷開始位置を印刷位置Ｐに位置合わせした状態でセットされる。記録紙３がセットされた状態で外部の機器からプリンター１に印刷データが供給されると、搬送モーター１３が正方向に駆動される。これにより、紙送りローラー対１１および排紙ローラー対１２が回転駆動され、記録紙３は排紙口６に向かう正方向に搬送される。また、記録紙３の搬送と並行して印刷ヘッド１０が駆動され、印刷ヘッド１０により印刷位置Ｐを通過する記録紙３に印刷が施される。印刷データの印刷が終了すると、記録紙３は、当該記録紙３において印刷が施された印刷部分が排紙口６から外側に露出するまで搬送され、その後に、プリンター１は次の印刷データの供給を待つ待機状態となる。
【００２９】
待機状態においてプリンター１に新たな印刷データが供給されると、搬送モーター１３が逆方向に駆動される。また、支持軸駆動機構２４が駆動される。これにより紙送りローラー対１１、排紙ローラー対１２および支持軸２０が回転駆動され、記録紙３はロール紙ホルダー７の側に向かう逆方向に搬送される。その後、記録紙３上の次の印刷開始位置が印刷位置Ｐに達すると記録紙３の搬送が停止され、記録紙３上の次の印刷開始位置が印刷位置Ｐに位置決めされる。
【００３０】
位置決めが完了すると、搬送モーター１３および印刷ヘッド１０が駆動され、新たな印刷データの印刷が行われる。すなわち、搬送モーター１３が正方向に駆動され、これにより、紙送りローラー対１１および排紙ローラー対１２が回転駆動され、記録紙３は排紙口６に向かう正方向に搬送される。また、記録紙３の搬送と並行して印刷ヘッド１０が駆動され、印刷ヘッド１０により印刷位置Ｐを通過する記録紙３に印刷が施される。印刷データの印刷が終了すると、記録紙３は、当該記録紙３において印刷が施された印刷部分が排紙口６から外側に露出するまで搬送され、その後に、プリンター１は次の印刷データの供給を待つ待機状態となる。
【００３１】
（ロール紙ホルダー）
次に、図２〜図５を参照してロール紙ホルダー７を詳細に説明する。図３（ａ）、図３（ｂ）は支持軸２０の概略断面図であり、図３（ｃ）は図３（ｂ）のＡ−Ａ線における支持軸２０の断面図であり、図３（ｄ）は操作部材の側から見た支持軸の側面図である。図４はリンク機構を構成しているアームの断面図である。図５は一対のフランジ２１、２２およびフランジ移動機構の説明図である。
【００３２】
図２に示すように、支持軸２０は、軸線Ｌ方向の中央部分にロール紙２の巻芯４に嵌め込まれる筒部３０を備えている。筒部３０の軸線Ｌ方向の両側には、当該筒部３０よりも径の小さい小径部３１が設けられている。各小径部３１の軸線Ｌ方向の外側には小径部３１よりも径の大きい大径部３２が設けられている。筒部３０、小径部３１および大径部３２は同軸に形成されている。
【００３３】
支持部２３は小径部３１を下方から回転可能に支持している。支持軸２０は支持部２３の上方から支持部２３に装着されており、支持軸２０を上方に移動させることにより、支持軸２０を支持部２３から取り外すことができる。すなわち、支持軸２０は着脱可能な状態で支持部２３に支持されている。
【００３４】
支持軸駆動機構２４は支持軸駆動用モーター３３と、支持軸駆動用モーター３３の駆動力を支持軸２０に伝達する駆動力伝達機構３４を備えている。
【００３５】
一対のフランジ２１、２２を構成している第１フランジ２１および第２フランジ２２は、それぞれ中心孔３５を備えており、各中心孔３５には支持軸２０の筒部３０が挿入されている。各中心孔３５の内径は、ロール紙ホルダー７に装填されるロール紙２の巻芯４の内径寸法と同一であり、筒部３０の外径寸法よりも僅かに大きい寸法とされている。
【００３６】
図３、図４に示すように、支持軸２０は、ロック部材４０、操作部材４１、操作部材４１の操作に連動してロック部材４０を移動させるリンク機構４２、および、一対のフランジ２１、２２を移動させるためのフランジ移動機構４３を搭載している。
【００３７】
ロック部材４０は、樹脂、あるいはゴムなどの弾性体から形成されており、筒部３０の外周面に形成された開口４４から一部分が外側に突出する突出位置４０Ａと当該筒部３０の外周面３０ａよりも内側の退避位置４０Ｂとの間を移動可能となっている。突出位置４０Ａと退避位置４０Ｂは、軸線Ｌと直交する半径方向で離間する位置にある。ここで、図３（ｃ）に示すように、筒部３０の外周面３０ａには、開口４４として、周方向の３箇所に等角度間隔で開口４４（１）、４４（２）、４４（３）が設けられている。各開口４４（１）、４４（２）、４４（３）は、軸線Ｌ方向に長い矩形であり、各開口４４（１）、４４（２）、４４（３）の軸線Ｌ方向の寸法はロール紙ホルダー７に装填されるロール紙２の幅寸法よりも長い。また、支持軸２０には、ロック部材４０として、各開口４４（１）、４４（２）、４４（３）からそれぞれ突出する３つのロック部材４０（１）、４０（２）、４０（３）が搭載されている。各ロック部材４０（１）、４０（２）、４０（３）は、各開口４４（１）、４４（２）、４４（３）と対応する形状を備えており、各ロック部材４０（１）、４０（２）、４０（３）の軸線Ｌ方向の寸法は、ロール紙ホルダー７に装填されるロール紙２の幅寸法よりも長い。
【００３８】
操作部材４１は支持軸２０における一方の大径部３２を構成しており、図３（ａ）および図３（ｂ）に示すように、軸線Ｌ上で離間しているロック位置４１Ａと開放位置４１Ｂの間を移動する。ロック位置４１Ａは操作部材４１と大径部３２が軸線Ｌ方向で重なる位置であり、開放位置４１Ｂは、大径部３２から軸線Ｌ方向の外側に外れた位置である。操作部材４１には、図３（ｄ）に示すように、ロック位置４１Ａに配置されたときに、小径部から突出する係合爪４５に係合可能な係合孔４６が設けられている。
【００３９】
リンク機構４２は、軸線Ｌ方向に長い棒状フレーム（フレーム）４７と、一方の端が棒状フレーム４７に回転可能に取り付けられ、他方の端が各ロック部材４０（１）、４０（２）、４０（３）に回転可能に取り付けられている複数本のアーム４８を備えている。
【００４０】
棒状フレーム４７は、軸線Ｌ上に配置されている。また、棒状フレーム４７は、一方の端部分が操作部材４１に連結され、操作部材４１と一体に軸線Ｌ方向に移動可能とされている。ここで、操作部材４１は棒状フレーム４７の端部分に軸線Ｌ回りに回転可能な状態で取り付けられており、図３（ｄ）に示すように、操作部材４１をロック位置４１Ａに配置したときに操作部材４１を軸線Ｌ回りの一方側に回転させることにより、操作部材４１の係合孔４６と大径部３２の係合爪４５を係合させることができる。また、ロック位置４１Ａにおいて操作部材４１を軸線Ｌ回りの他方側に回転させることにより、操作部材４１の係合孔４６と大径部３２の係合爪４５の係合を解除することができる。
【００４１】
アーム４８は、図４に示すように、第１アーム部材４９、第２アーム部材５０、および、これら第１アーム部材４９と第２アーム部材５０の間に配置されたコイルバネ（バネ部材）５１を備えている。第１アーム部材４９は、筒部５２と筒部５２の一方の端を封鎖する底板５３を備えており、筒部５２の底板５３側の部分に、ロック部材４０（１）、４０（２）、４０（３）に回転可能な状態で取り付けられる第１固定部５４を備えている。第２アーム部材５０は、棒状であり、一方の端部分が筒部５２の内側に挿入されており、他方の端部分に棒状フレーム４７に回転可能に取り付けられる第２固定部５５を備えている。コイルバネ５１は、第１アーム部材４９の底板５３と第２アーム部材５０の底板側の端面の間に挿入されている。コイルバネ５１は、ロック部材４０（１）、４０（２）、４０（３）が突出位置４０Ａに配置された状態でロック部材４０（１）、４０（２）、４０（３）が退避位置４０Ｂの側に向かって押されたときに、ロック部材４０（１）、４０（２）、４０（３）を突出位置４０Ａの側に向かって付勢する付勢力を発揮する。
【００４２】
ここで、リンク機構４２は、複数のロック部材４０（１）、４０（２）、４０（３）のそれぞれと棒状フレーム４７を連結するアーム４８として、２本のアーム４８を備えている。１つのロック部材４０（１）、４０（２）、４０（３）に連結されている２本のアーム４８は軸線Ｌ方向で離間する位置に配置されており、１つのロック部材４０（１）、４０（２）、４０（３）、当該ロック部材４０（１）、４０（２）、４０（３）に固定された２本のアーム４８、および、棒状フレーム４７は、平行リンク機構を構成している。
【００４３】
図３（ａ）に示すように、操作部材４１をロック位置４１Ａから開放位置４１Ｂに移動させると、リンク機構４２はロック部材４０（１）、４０（２）、４０（３）を突出位置４０Ａから退避位置４０Ｂに移動させる。より具体的には、操作部材４１をロック位置４１Ａから開放位置４１Ｂに移動させると、棒状フレーム４７が操作部材４１と一体に軸線Ｌ方向を図中右側に移動する。この結果、各ロック部材４０（１）、４０（２）、４０（３）を支持している２本のアーム４８が軸線Ｌに対して傾斜した姿勢となるので、ロック部材４０（１）、４０（２）、４０（３）が筒部３０の内側に移動して退避位置４０Ｂに配置される。また、図３（ｂ）に示すように、操作部材４１を開放位置４１Ｂからロック位置４１Ａに移動させると、リンク機構４２は、ロック部材４０（１）、４０（２）、４０（３）を退避位置４０Ｂからロック位置４１Ａに移動させる。より具体的には、操作部材４１を開放位置４１Ｂからロック位置４１Ａに移動させると、棒状フレーム４７が操作部材４１と一体に軸線Ｌ方向を図中左側に移動して、各ロック部材４０（１）、４０（２）、４０（３）を支持している２本のアーム４８が軸線Ｌに対して直交した姿勢となるので、ロック部材４０（１）、４０（２）、４０（３）は突出位置４０Ａに配置され、その一部分を筒部３０の開口４４（１）、４４（２）、４４（３）から外側に突出させた状態となる。
【００４４】
次に、フランジ移動機構４３は、一対のフランジ２１、２２のうちの一方のフランジを軸線Ｌに沿って移動させたときに、他方のフランジを一方のフランジと逆方向に移動させる。図５に示すように、フランジ移動機構４３は、筒部３０の外周面３０ａに形成された一対のガイド溝６０（図２参照）と、筒部３０の内側において歯面を対向させて平行に配置された一対のラックギア６１、６２、および、ラックギア６１、６２の間に配置されたピニオンギア６３を備えている。一対のガイド溝６０は、それぞれが軸線Ｌ方向に延びており、互いに１８０°離れた角度位置に設けられている。
【００４５】
ここで、各フランジ２１、２２の中心孔３５の内周面には、互いに１８０°離れた角度位置に内側に突出する一対のガイド用突起６４が設けられており、支持軸２０の筒部３０は各フランジ２１、２２のガイド用突起６４をガイド溝６０に挿入させた状態で中心孔３５に挿入されている（図２参照）。また、ラックギア６１、６２はそれぞれが係合突起６５を備えており、各係合突起６５は、ガイド溝６０に挿入されて筒部３０の内側に突出した各フランジ２１、２２のガイド用突起６４と係合可能になっている。本例では、図５において左側に配置されている一方のフランジ２１のガイド用突起６４はラックギア６１の係合突起６５と係合した状態でネジなどにより固定されている。これにより、フランジ２１とラックギア６１は一体に移動する。また、図５において右側に配置されている他方のフランジ２２は、支持軸２０に対して軸線Ｌ方向に着脱可能とされており、ガイド溝６０にガイド用突起６４を挿入してフランジ２２を支持軸２０に装着すると、ガイド用突起６４とラックギア６２の係合突起６５が係合する。
【００４６】
フランジ２２のガイド用突起６４とラックギア６２の係合突起６５を係合させた状態で、フランジ２１を軸線Ｌ方向に移動させると、移動させたフランジ２１に係合しているラックギア６１が移動してピニオンギア６３が回転する。これにより、他方のラックギア６２およびこれに係合している他方のフランジ２２が逆向きに同じ距離だけ移動する。また、フランジ２２のガイド用突起６４とラックギア６２の係合突起６５を係合させた状態で、フランジ２２を軸線Ｌ方向に移動させると、移動させたフランジ２２に係合しているラックギア６２が移動してピニオンギア６３が回転する。これにより、他方のラックギア６１およびこれに係合している他方のフランジ２１が逆向きに同じ距離だけ移動する。ここで、本例では、ピニオンギア６３は支持軸２０の軸線Ｌ方向の中央に配置されている。従って、一対のフランジ２１、２２に挟まれたロール紙２は、その幅方向の中心と支持軸２０の軸線Ｌ方向の中心が一致するように位置決めされる。
【００４７】
（ロール紙の交換動作）
印刷によって記録紙３が最後まで使用されると、ロール紙ホルダー７にはロール紙２の巻芯４が残った状態となる。この状態から新たなロール紙２をロール紙ホルダー７に装填する場合には、まず、支持部２３から支持軸２０を取り外し、支持部２３をロール紙ホルダー７の外側に取り出す。その後、操作部材４１を開放位置４１Ｂに移動させて、ロック部材４０（１）、４０（２）、４０（３）を筒部３０の内側の退避位置４０Ｂに移動させる。しかる後に、支持軸２０から一方のフランジ２２を抜き取り、更に、支持軸２０から巻芯４を抜き取る。
【００４８】
次に、新たなロール紙２を支持軸２０にセットする。すなわち、新たなロール紙２の巻芯４に支持軸２０の筒部３０を挿入する。そして、取り外されていたフランジ２２を筒部３０に装着する。その後、装着したフランジ２２をロール紙２の端面に押し当てて、軸線Ｌ方向を筒部３０の中央に向かって移動させる。この動作によってフランジ２２のガイド用突起６４とラックギア６２の係合突起６５が係合すると、フランジ２２の移動に伴ってフランジ２１が軸線Ｌ方向の中心に向かって移動する。これにより、フランジ２２の軸線Ｌ方向の内側面とフランジ２１の軸線Ｌ方向の内側面がそれぞれロール紙２の端面に当接した状態になると、ロール紙２は筒部３０の中央に配置される。
【００４９】
ここで、操作部材４１を開放位置４１Ｂからロック位置４１Ａへと移動させると、ロック部材４０（１）、４０（２）、４０（３）は突出位置４０Ａに移動してロール紙２の巻芯４の内周面に当接する。また、ロック部材４０（１）、４０（２）、４０（３）は一対のフランジ２１、２２の中心孔３５の内周面に当接する。この結果、ロール紙２および一対のフランジ２１、２２は支持軸２０の筒部３０に固定された状態となる。
【００５０】
しかる後に、ロール紙２が固定された状態の支持軸２０を支持部２３に装着すると、ロール紙２は支持軸２０と一体に転動可能な状態でロール紙ホルダー７に装填される。なお、支持軸２０を支持部２３に装着する際に、ロール紙２から引き出した記録紙３を紙搬送路８内に配置することにより、紙送りローラー対１１が記録紙３をニップ可能な状態とする。これにより、搬送機構１４による記録紙３の搬送が可能となる。
【００５１】
（作用効果）
本例によれば、支持軸２０に設けられた操作部材４１をロック位置４１Ａから開放位置４１Ｂへと変位させることにより、ロック部材４０（１）、４０（２）、４０（３）を支持軸２０の筒部３０の内側に退避させることができるので、支持軸２０の筒部３０をロール紙２の巻芯４に嵌め込む際に、巻芯４とロック部材４０（１）、４０（２）、４０（３）が干渉することを回避できる。また、支持軸２０に設けられた操作部材４１を開放位置４１Ｂからロック位置４１Ａへと変位させることにより、ロック部材４０（１）、４０（２）、４０（３）をロール紙２の巻芯４に挿入される支持軸２０の筒部３０の外周面３０ａから外側に突出させることができる。従って、ロール紙２を支持軸２０の筒部３０に嵌め込んだ後に、支持軸２０に設けられた操作部材４１を操作するだけで、ロック部材４０（１）、４０（２）、４０（３）をロール紙２の巻芯４の内周面に当接させて、ロール紙２を支持軸２０に固定することができる。また、支持軸２０に設けられた操作部材４１をロック位置４１Ａから開放位置４１Ｂへと変位させることにより、ロック部材４０（１）、４０（２）、４０（３）を支持軸２０の筒部３０の内側に退避させることができるので、支持軸２０の筒部３０をロール紙２の巻芯４に嵌め込む際に、巻芯４とロック部材４０（１）、４０（２）、４０（３）が干渉することを回避できる。従って、ロール紙２を支持軸２０にセットする作業および支持軸２０にセットされたロール紙２を支持軸２０に固定する作業が容易となる。
【００５２】
また、本例では、支持軸２０は、突出位置４０Ａにあるロック部材４０（１）、４０（２）、４０（３）が退避位置４０Ｂの側に向かって押されたときに当該ロック部材４０（１）、４０（２）、４０（３）を突出位置４０Ａの側に向かって付勢する付勢力を発揮するコイルバネ５１を備えている。この結果、コイルバネ５１の付勢力を利用してロール紙２を支持軸２０に固定することができるので、使用するロール紙２毎に巻芯４の直径がばらついている場合でも、支持軸２０にロール紙２を固定できる。
【００５３】
さらに、本例では、操作部材４１をロック位置４１Ａに移動させると、３つのロック部材４０（１）、４０（２）、４０（３）が等角度間隔で筒部３０の外側に突出する。また、ロック部材４０（１）、４０（２）、４０（３）はロール紙２の幅方向の全範囲に渡って巻芯４に当接する。従って、ロール紙２の支持軸２０への固定を確実なものとすることができる。さらに、ロック部材４０（１）、４０（２）、４０（３）と、このロック部材４０（１）、４０（２）、４０（３）を突出位置４０Ａに移動させるリンク機構４２が平行リンク機構を構成しているので、ロック部材４０（１）、４０（２）、４０（３）が開口４４（１）、４４（２）、４４（３）から突出する際に軸線Ｌ方向における突出量が均一なものとなり、ロール紙２が支持軸２０に対して傾斜することが抑制される。また、３つのロック部材４０（１）、４０（２）、４０（３）が等角度間隔で筒部３０の外側に突出するので、ロール紙２の転動中心と支持軸２０の中心軸線Ｌとを一致させることができる。
【００５４】
次に、本例では、ロール紙ホルダー７がロール紙２の幅方向の両側でロール紙２を挟む一対のフランジ２１、２２を備えているので、ロール紙２から記録紙３を引き出す際に、記録紙３が斜めに引き出されてしまうことを防止できる。また、記録紙３をロール紙２に巻き取る際に、記録紙３が斜めに巻き取られてしまうことを防止できる。さらに、突出位置４０Ａに移動したロック部材４０（１）、４０（２）、４０（３）によって一対のフランジ２１、２２が支持軸２０に固定されるので、一対のフランジ２１、２２が軸線Ｌ方向に移動してしまうことを防止するための機構を別に設ける必要がない。従って、装置の製造コストを抑えることができる。
【００５５】
また、本例では、一方のフランジ２２と他方のフランジを軸線Ｌ方向の逆方向に移動させるフランジ移動機構４３を備えているので、筒部３０の中央を基準としてロール紙２を位置決めすることができる。この結果、筒部３０の中央から記録紙３を繰り出すことができると共に、筒部３０の中央に記録紙３を巻き取ることができる。
【００５６】
さらに、本例では、支持軸２０が着脱可能な状態で支持部２３に支持されているので、支持軸２０を支持部２３から外した状態でロール紙２を支持軸２０にセットすることができ、ロール紙２を支持軸２０にセットする作業が容易である。また、ロール紙ホルダー７においてロール紙２が支持軸２０に固定されているので、支持軸駆動機構２４によって支持軸２０を回転駆動すれば、ロール紙２を強制的に回転させて、記録紙３をロール紙２に巻き取ることができる。
【００５７】
（ロール紙ホルダーの変形例）
図６は変形例のロール紙ホルダーの概略斜視図である。図７は支持軸の説明図であり、ロック部材が支持軸の筒部の外周面から突出した突出位置にある状態を示している。図７（ａ）は操作部材の側から見た支持軸の側面図であり、図７（ｂ）は支持軸の筒部の概略断面図であり、図７（ｃ）は図７（ｂ）のＢ−Ｂ線における支持軸の断面図である。図８は支持軸の説明図であり、ロック部材が支持軸の筒部の内側の退避位置にある状態を示している。図８（ａ）は操作部材の側から見た支持軸の側面図であり、図８（ｂ）は支持軸の筒部の概略断面図であり、図８（ｃ）は図８（ｂ）のＢ−Ｂ線における支持軸の断面図である。
【００５８】
図６に示すように、本例のロール紙ホルダー７Ａは、ロール紙２を支持する支持軸６８と、支持軸６８を回転可能に支持する支持部６９と、支持軸６８を回転駆動する支持軸駆動機構７０を備えている。支持軸６８は、その軸線Ｌ１をプリンター幅方向に向けて配置される。ロール紙２がロール紙ホルダー７Ａに装填された状態では、ロール紙２は巻芯４に支持軸６８が嵌め込まれ状態で、支持軸６８に固定される。
【００５９】
支持軸６８は、ロール紙２の巻芯４に嵌め込まれる筒部７１と、筒部７１の軸線Ｌ１方向の一方の端部分から同軸に突出した小径部７２を備えている。支持部６９は小径部７２が挿入される支持孔７３を備えており、支持軸６８を片持ち状態で回転可能に支持している。支持軸６８は小径部７２を軸線Ｌ１方向から支持孔７３に挿入することにより支持部６９に装着されており、支持軸６８を軸線Ｌ１方向で支持部６９から離れる方向に移動させることにより、支持軸６８を支持部６９から取り外すことができる。すなわち、支持軸６８は着脱可能な状態で支持部６９に支持されている。支持軸駆動機構７０は支持軸駆動用モーター７４と、支持軸駆動用モーター７４の駆動力を支持軸６８に伝達する駆動力伝達機構７５を備えている。
【００６０】
図７および図８に示すように、支持軸６８は、ロック部材７６と、操作部材７７と、操作部材７７の操作に連動してロック部材７６を移動させるリンク機構７８を搭載している。
【００６１】
ロック部材７６は、樹脂、あるいはゴムなどの弾性体から形成されており、筒部７１の外周面７１ａに形成された開口７９から突出する突出位置７６Ａ（図８参照）と当該筒部７１の外周面７１ａよりも内側の退避位置７６Ｂ（図７参照）の間を移動可能となっている。ここで、図８（ｃ）に示すように、筒部７１の外周面７１ａには、開口７９として、周方向の３箇所に等角度間隔で開口７９（１）、７９（２）、７９（３）が設けられている。各開口７９（１）、７９（２）、７９（３）は、図６に示すように、いずれも軸線Ｌ１方向における筒部７１の中央部分に設けられている。また、図７および図８に示すように、支持軸６８には、ロック部材７６として、各開口７９（１）、７９（２）、７９（３）のそれぞれから突出する第１、第２、第３ロック部材７６（１）、７６（２）、７６（３）が搭載されている。
【００６２】
操作部材７７は、図７（ｂ）および図８（ｂ）に示すように、操作用の突条７７ａが形成されている大径円盤部８０と、大径円盤部８０よりも小径で外周面に操作部材側歯車８１ａが形成されている小径円盤部８１を備えており、小径円盤部８１が筒部７１の内側に挿入されている。また、操作部材７７は、筒部７１において小径部７２とは反対側の開口を塞ぐ封鎖部材８２に回転可能に取り付けられており、軸線Ｌ１回りの異なる角度位置に設定されたロック位置７７Ａと開放位置７７Ｂの間を回転する。本例において、ロック位置７７Ａと開放位置７７Ｂは軸線Ｌ１回りの９０°離れた角度位置に設定されている。
【００６３】
リンク機構７８は、１つのカム８３と、操作部材７７の回転をカム８３に伝達してカム８３を回転させる伝達機構８４と、カム８３の外周面に設けられたカム面８７に摺接するカムフォロワー８５を備えており、カム８３の回転に伴って変位するリンク部材８６を備えている。ここで、リンク機構７８は、リンク部材８６として、第１、第２、第３ロック部材７６（１）、７６（２）、７６（３）がそれぞれ取り付けられる第１リンク部材８６（１）、第２リンク部材８６（２）、第３リンク部材８６（３）を備えている。
【００６４】
カム８３は、全体として直方体形状をしており、軸線Ｌ１方向から見たときに長方形をしている端面８３ａを備えている。カム８３の回転中心軸は、図７（ｃ）および図８（ｃ）に示すように、端面８３ａと同一形状をした断面の中心を軸線Ｌ１と平行な方向に延びている。カム８３において、軸線Ｌ１と平行に延びている外周面部分はカム面８７となっており、カム面８７は、時計回りに第１カム面部分８７ａ、第２カム面部分８７ｂ、第３カム面部分８７ｃおよび第４カム面部分８７ｄを備えている。第１カム面部分８７ａおよび第３カム面部分８７ｃは、カム８３の端面８３ａの一対の短辺から軸線Ｌ１方向に延びている面であり、互いに平行である。第２カム面部分８７ｂおよび第４カム面部分８７ｄは、端面８３ａの一対の長辺から軸線Ｌ１方向に延びている面であり、互いに平行である。
【００６５】
伝達機構８４は、カム８３に連結されている回転軸８８と、回転軸８８の一方の端に同軸に固定されたリンク機構側歯車８９を備えている。回転軸８８は、カム８３を軸線Ｌ１方向に貫通して延びており、回転軸８８の回転中心線はカム８３の回転中心線と一致している。リンク機構側歯車８９は操作部材７７の操作部材側歯車８１ａと噛合しており、操作部材７７を軸線Ｌ１回りに回転させると、回転軸８８が回転する。従って、操作部材７７を軸線Ｌ１回りに回転させると、カム８３がその回転中心軸回りに回転する。本例では、操作部材７７を開放位置７７Ｂからロック位置７７Ａに変位させる際には、操作部材７７を反時計回り（図７（ａ）の矢印の方向）に９０°回転させる。これにより、カム８３は時計回り（図７（ｃ）の矢印の方向）に９０°回転する。
【００６６】
第１リンク部材８６（１）は、軸線Ｌ１と直交する半径方向に移動可能とされている。図７（ｂ）および図８（ｂ）に示すように、第１リンク部材８６（１）は、板部９１と、板部９１の軸線Ｌ１方向の両端部分に設けられた一対の枠部９２を備えている。板部９１は、半径方向の内側面が第１カム面部分８７ａに摺接可能な第１カムフォロワー８５となっており、外側面に第１ロック部材７６（１）を固定するロック部材固定部９０が設けられている。一対の枠部９２は、カム８３を軸線Ｌ１方向の両側から挟んでいる。各枠部９２は、板部９１の周方向の両端から内側に向かって平行に延びる一対の平行枠部９２ａと、板部９１と平行に設けられており一対の平行枠部９２ａの内側端を連結している連結枠部９２ｂを備えている。ここで、カム８３において端面８３ａの一方の長辺から軸線Ｌ１方向に延びている第４カム面部分８７ｄの軸線Ｌ１方向の両側には、第４カム面部分８７ｄから軸線Ｌ１方向に外れた位置に突部９３が設けられており、この突部９３は連結枠部９２ｂの外側面（板部９１と対向する面）と当接可能になっている。
【００６７】
第２リンク部材８６（２）および第３リンク部材８６（３）は互いに同一の円弧形状をしており、筒部７１の軸線Ｌ１を間に挟んだ両側において、それぞれの窪んでいる側を対向させた状態で配置されている。第２リンク部材８６（２）および第３リンク部材８６（３）のそれぞれは、一方の端部分がカム面８７に摺接するカムフォロワー８５となっており、他方の端側部分が第２ロック部材７６（２）あるいは第３ロック部材７６（３）を固定するロック部材固定部９０となっている。さらに、第２リンク部材８６（２）および第３リンク部材は、カムフォロワー８５とロック部材固定部９０の間に設けられた揺動軸９４を中心として揺動可能に支持されている。揺動軸９４は、軸線Ｌ１と平行に延びている。
【００６８】
また、リンク機構７８は、コイルバネ（バネ部材）９５を備えている。コイルバネ９５は、一方の端が第２リンク部材８６（２）の揺動軸９４とカムフォロワー８５の間の部位に取り付けられており、他方の端が第３リンク部材８６（３）の揺動軸９４とカムフォロワー８５の間の部位に取り付けられており、第２リンク部材８６（２）および第３リンク部材８６（３）のそれぞれを、カムフォロワー８５がカム面８７に当接する方向に付勢している。また、コイルバネ９５は、ロック部材７６（２）、７６（３）が突出位置７６Ａに配置された状態でロック部材７６（２）、７６（３）が退避位置７６Ｂの側に向かって押されたときに、これらロック部材７６（２）、７６（３）を突出位置７６Ａの側に向かって付勢する付勢力を発揮する。
【００６９】
ここで、図７に示すように、操作部材７７を開放位置７７Ｂに配置すると、第１、第２、第３ロック部材７６（１）、７６（２）、７６（３）は退避位置７６Ｂに配置される。
【００７０】
すなわち、操作部材７７を開放位置７７Ｂに配置した状態では、図７（ｃ）に示すように、第２リンク部材８６（２）のカムフォロワー８５がカム８３の第１カム面部分８７ａに摺接して外周側に移動するので、第２リンク部材８６（２）は揺動軸９４回りに揺動してそのロック部材固定部９０を内周側に変位させる。同時に、第３リンク部材８６（３）のカムフォロワー８５がカム８３の第３カム面部分８７ｃに摺接して外周側に移動するので、第３リンク部材８６（３）は揺動軸９４回りに揺動してそのロック部材固定部９０を内周側に変位させる。これにより、第２、第３ロック部材７６（２）、７６（３）は筒部７１の内側に移動して退避位置７６Ｂに配置される。また、この時、カム８３に設けられた突部９３が第１リンク部材８６（１）の連結枠部９２ｂに当接する。これにより、第１リンク部材８６（１）が半径方向を外側に移動することが阻止された状態となるので、第１リンク部材８６（１）に固定された第１ロック部材７６（１）は筒部７１の内側の退避位置７６Ｂに配置された状態が維持される。
【００７１】
次に、図８に示すように、操作部材７７を開放位置７７Ｂからロック位置７７Ａに反時計回りに９０°回転させると、リンク機構７８は第１、第２、第３ロック部材７６（１）、７６（２）、７６（３）を退避位置７６Ｂから突出位置７６Ａに移動させる。
【００７２】
より具体的には、操作部材７７をロック位置７７Ａから開放位置７７Ｂに回転させると、回転軸８８が回転してカム８３を時計回りに９０°回転させる。この結果、図８に示すように、第１リンク部材８６（１）のカムフォロワー８５（板部９１の内側面）がカム８３の第１カム面部分８７ａに摺接するので、第１リンク部材８６（１）は半径方向を外側に移動する。この結果、第１リンク部材８６（１）のロック部材固定部９０に固定された第１ロック部材７６（１）は筒部７１から外側に突出した突出位置７６Ａに配置される。また、回転軸８８が回転してカム８３を反時計回りに９０°回転させると、第２リンク部材８６（２）のカムフォロワー８５がカム８３の第２カム面部分８７ｂに摺接して内周側に移動するので、第２リンク部材８６（２）は揺動軸９４回りに揺動して、そのロック部材固定部９０を外周側に変位させる。同時に、第３リンク部材８６（３）のカムフォロワー８５がカム８３の第４カム面部分８７ｄに摺接して内周側に移動するので、第３リンク部材８６（３）は揺動軸９４回りに揺動して、そのロック部材固定部９０を外周側に変位させる。これにより、第２、第３ロック部材７６（２）、７６（３）は筒部７１の外側に突出した突出位置７６Ａに配置される。
【００７３】
ここで、操作部材７７をロック位置７７Ａから時計回りに９０°回転させて開放位置７７Ｂに配置すると、回転軸８８が回転してカム８３を反時計回りに９０°回転させる。この結果、上記とは逆の動作が行われ、リンク機構７８は第１、第２、第３ロック部材７６（１）、７６（２）、７６（３）を突出位置７６Ａから退避位置７６Ｂに移動させる。
【００７４】
以上、本例によれば、支持軸６８に設けられた操作部材７７をロック位置７７Ａから開放位置７７Ｂへと回転させることにより、ロック部材７６（１）、７６（２）、７６（３）を支持軸６８の筒部７１の内側に退避させることができるので、支持軸６８の筒部７１をロール紙２の巻芯４に嵌め込む際に、巻芯４とロック部材７６（１）、７６（２）、７６（３）が干渉することを回避できる。また、支持軸６８に設けられた操作部材７７を開放位置７７Ｂからロック位置７７Ａへと回転させることにより、ロック部材７６（１）、７６（２）、７６（３）をロール紙２の巻芯４に挿入される支持軸６８の筒部７１の外周面７１ａから外側に突出させることができる。従って、ロール紙２を支持軸６８の筒部７１に嵌め込んだ後に、支持軸６８に設けられた操作部材７７を操作するだけで、ロック部材７６（１）、７６（２）、７６（３）をロール紙２の巻芯４の内周面に当接させて、ロール紙２を支持軸６８に固定することができる。従って、ロール紙２を支持軸６８にセットする作業および支持軸６８にセットされたロール紙２を支持軸６８に固定する作業が容易となる。
【００７５】
また、本例では、支持軸６８は、突出位置７６Ａにあるロック部材７６（２）、７６（３）が退避位置７６Ｂの側に向かって押されたときに当該ロック部材７６（２）、７６（３）を突出位置７６Ａの側に向かって付勢する付勢力を発揮するコイルバネ９５を備えている。この結果、コイルバネ９５の付勢力を利用してロール紙２を支持軸６８に固定することができるので、使用するロール紙２毎に巻芯４の直径がばらついている場合でも、支持軸６８にロール紙２を固定できる。
【００７６】
さらに、本例では、操作部材７７をロック位置７７Ａに移動させると、３つのロック部材７６（１）、７６（２）、７６（３）が等角度間隔で筒部７１の外側に突出する。従って、ロール紙２の支持軸６８への固定を確実なものとすることができる。また、３つのロック部材７６（１）、７６（２）、７６（３）が等角度間隔で筒部７１の外側に突出するので、ロール紙２の転動中心と支持軸６８の中心軸線Ｌ１とを一致させることができる。
【００７７】
また、本例では、支持軸６８が着脱可能な状態で支持部６９に支持されているので、支持軸６８を支持部６９から外した状態でロール紙２を支持軸６８にセットすることができ、ロール紙２を支持軸６８にセットする作業が容易である。さらに、ロール紙ホルダー７Ａにおいてロール紙２が支持軸６８に固定されているので、支持軸駆動機構７０によって支持軸６８を回転駆動すれば、ロール紙２を強制的に回転させて、記録紙３をロール紙２に巻き取ることができる。
【００７８】
ここで、本例のロール紙ホルダー７Ａにおいても、各開口７９（１）、７９（２）、７９（３）の軸線Ｌ方向の寸法をロール紙ホルダー７Ａに装填されるロール紙２の幅寸法よりも長くすることができる。この場合には、各ロック部材７６（１）、７６（２）、７６（３）は、各開口７９（１）、７９（２）、７９（３）と対応する形状を備えるものとし、各ロック部材７６（１）、７６（２）、７６（３）の軸線Ｌ方向の寸法を、ロール紙ホルダー７に装填されるロール紙２の幅寸法よりも長くすることができる。
【００７９】
また、各ロック部材７６（１）、７６（２）、７６（３）の軸線Ｌ方向の寸法を、ロール紙ホルダー７に装填されるロール紙２の幅寸法よりも長くした場合には、本例のロール紙ホルダー７Ａに、ロール紙ホルダー７の一対のフランジ２１、２２およびフランジ移動機構４３を搭載してもよい。このようにすれば、支持軸６８の筒部７１の中央から記録紙３を繰り出すことができると共に、筒部７１の中央に記録紙３を巻き取ることができる。また、突出位置７６Ａに配置された各ロック部材７６（１）、７６（２）、７６（３）を各フランジ２１、２２の中心孔３５の内周面に当接させて、一対のフランジ２１、２２を筒部７１に固定できる。
【符号の説明】
【００８０】
１・・プリンター、２・・ロール紙、３・・記録紙、４・・巻芯、５・・本体フレーム、６・・排紙口、７・７Ａ・・ロール紙ホルダー（ロール紙支持機構）、８・・紙搬送路、９・・プラテン、１０・・印刷ヘッド、１１・・紙送りローラー対、１２・・排紙ローラー対、１３・・搬送モーター、１４・・搬送機構、２０・・支持軸、２１・２２・・フランジ、２３・・支持部、２４・・支持軸駆動機構、３０・・筒部、３０ａ・・外周面、３１・・小径部、３２・・大径部、３３・・支持軸駆動用モーター、３４・・駆動力伝達機構、３５・・中心孔、４０・４０（１）〜４０（３）・・ロック部材、４０Ａ・・突出位置、４０Ｂ・・退避位置、４１・・操作部材、４１Ａ・・ロック位置、４１Ｂ・・開放位置、４２・・リンク機構、４３・・フランジ移動機構、４４・４４（１）〜４４（３）・・開口、４５・・係合爪、４６・・係合孔、４７・・棒状フレーム（フレーム）、４８・・アーム、４９・・第１アーム部材、５０・・第２アーム部材、５１・・コイルバネ（バネ部材）、５２・・筒部、５３・・底板、５４・・第１固定部、５５・・第２固定部、６０・・ガイド溝、６１・６２・・ラックギア、６３・・ピニオンギア、６４・・ガイド用突起、６５・・係合突起、６８・・支持軸、６９・・支持部、７０・・支持軸駆動機構、７１・・筒部、７１ａ・・外周面、７２・・小径部、７３・・支持孔、７４・・支持軸駆動用モーター、７５・・駆動力伝達機構、７６・７６（１）〜７６（３）・・ロック部材、７６Ａ・・突出位置、７６Ｂ・・退避位置、７７・・操作部材、７７ａ・・突条、７７Ａ・・ロック位置、７７Ｂ・・開放位置、７８・・リンク機構、７９・７９（１）〜７９（３）・・開口、８０・・大径円盤部、８１・・小径円盤部、８１ａ・・操作部材側歯車、８２・・封鎖部材、８３・・カム、８３ａ・・端面、８４・・伝達機構、８５・・カムフォロワー、８６（１）・８６（２）・８６（３）・・リンク部材、８７・・カム面、８７ａ〜８７ｄ・・カム面部分、８８・・回転軸、８９・・リンク機構側歯車、９０・・ロック部材固定部、９１・・板部、９２・・枠部、９２ａ・・平行枠部、９２ｂ・・連結枠部、９３・・突部、９４・・揺動軸、９５・・コイルバネ（バネ部材）、Ｌ・Ｌ１・・軸線、Ｐ・・印刷位置
【図１】
2013230933.tif 000003
【図２】
2013230933.tif 000004
【図４】
2013230933.tif 000005
【図５】
2013230933.tif 000006
【図６】
2013230933.tif 000007
【図３】
2013230933.tif 000008
【図７】
2013230933.tif 000009
【図８】
2013230933.tif 000010